(57)【要約】      （修正有）【課題】果物などを衝撃吸収層の収容孔に挿入したときに生じる歪エネルギーが大幅に減少し、果物の運搬中に果物が収容孔から脱落することのない保持材を提供すること。【解決手段】果物および／または野菜を収容するために複数の孔Ｒが設けられた衝撃吸収層１と、該衝撃吸収層の下側に設けられ、当該複数の孔の底を構成するための底部材２とを備えた保持材であって、前記衝撃吸収層の上部領域に歪エネルギー減少部材が設けられてなることを特徴としている。【選択図】図１
0003102229.tif 000002
【実用新案登録請求の範囲】
【請求項１】
果物および／または野菜を収容するために複数の孔が設けられた衝撃吸収層と、該衝撃吸収層の下側に設けられ、当該複数の孔の底を構成するための底部材とを備えた保持材であって、
前記衝撃吸収層の上部領域に歪エネルギー減少部材が設けられてなる
ことを特徴とする保持材。
【請求項２】
前記歪エネルギー減少部材が、前記衝撃吸収層の上部に複数設けられた略円錐状を呈した円錐部材である請求項１記載の保持材。
【請求項３】
前記円錐部材が、単位長さ１０ｃｍあたり少なくとも４つ設けられている請求項２記載の保持材。
【請求項４】
前記歪エネルギー減少部材を含む衝撃減少部材の硬さが４０〜８０Ｎ／ｃｍ2である請求項１、２または３記載の保持材。
【請求項５】
前記歪エネルギー減少部材を含む衝撃吸収層に複数の孔が穿設され、当該複数の穿設された孔がマトリクス状に配置されている請求項１、２、３または４記載の保持材。
【請求項６】
前記歪エネルギー減少部材を含む衝撃吸収層に複数の孔が穿設され、当該複数の穿設された孔が互い違いに配置されている請求項１、２、３または４記載の保持材。
【請求項７】
前記歪エネルギー減少部材を含む衝撃吸収層に穿設された複数の孔が、円形、矩形、十字型または三角形の１種または２種以上である請求項１、２、３、４、５または６記載の保持材。
【請求項８】
前記孔の中にリブが設けられてなる請求項７記載の保持材。
【考案の詳細な説明】
【技術分野】
【０００１】
本考案は、果物などの保持材に関する。さらに詳しくは、衝撃吸収層の上部領域に歪エネルギー減少部材が設けられた保持材に関する。
【背景技術】
【０００２】
りんごや梨などの果物を産地から消費地に車両により運搬する際に、運搬中の衝撃や振動により、果物に傷がつかないように保持するための保持材（以下、単に「保持材」という）として、梱包用箱に果物を詰めたのち、果物同士が運搬中に互いにあたって傷をつけないようにするもの（たとえば、特許文献１参照）や、図１３に示されたものが知られている。このものは、果物を収容するための収容孔Ｒが穿設された衝撃吸収層１１と、衝撃吸収層１１の下に設けられた底１２とを備えており、底１２が収容孔Ｒを覆っている。
【０００３】
衝撃吸収層１１は、ポリウレタンフォームのように硬さの小さいものから製造されている。
【０００４】
【特許文献１】特開平７−２０５９６３号公報
【考案の開示】
【考案が解決しようとする課題】
【０００５】
しかし、図１３に示された従来の保持材の場合、たとえ、６０Ｎ／３１４ｃｍ2の小さい硬度のものから製造したとしても、果物の大きさにはバラツキがあり、たとえば、図１４に示されるように、収容孔Ｒの大きさに対して大きいサイズの果物を無理やり収容孔Ｒに挿入すると、収容孔Ｒの上部側縁部を含む収容孔Ｒの上部が変形する。この変形は、衝撃吸収層１１の果物と直接接する部位のみならず、果物と接している部位の近傍にまでおよぶ。その結果、収容孔Ｒに挿入された果物には、変形した衝撃吸収層１１がもとの形態に復元しようとする歪エネルギーに基づく力Ｆ１が作用している。このようにして従来の保持材にりんごなどの果物を収容して、トラックなどの車両で運搬すると、急停車や旋回時に果物に衝撃吸収層１１に対して水平方向の力（たとえば、図１４のＦ２）が作用し、前述の歪エネルギーに基づく力Ｆ１と、水平方向の力Ｆ２とが合成した力Ｆ３が果物に作用して脱落するのである。その結果、脱落した果物が隣接する果物に当たり果物に傷がつく。
【０００６】
このため、従来の保持材を用いて果物を車両で運搬する際、果物の脱落を防止するために、梱包用の箱（図示されていない）に底１２を入れ、衝撃吸収層１１を入れ、ついで果物を衝撃吸収層１１の収容孔Ｒに挿入したのち、別途、わら、紙、発泡スチロールのビーズなどの衝撃吸収材で果物の上部を覆ってから梱包用の箱の蓋を閉じる必要がある。本考案の目的は、りんごや桃などの果物やトマトなどの野菜（以下、果物などという）を衝撃吸収層の収容孔に挿入したときに生じる歪エネルギーが大幅に減少し、果物を衝撃吸収層の収容孔に挿入したのち、別途、わら、紙、発泡スチロールのビーズなどの衝撃吸収材する必要がなく、そのうえ梱包用の箱に蓋がなくても果物の運搬中に果物が収容孔から脱落することのない保持材を提供することである。
【課題を解決するための手段】
【０００７】
本考案は、果物および／または野菜を収容するために複数の孔が設けられた衝撃吸収層と、該衝撃吸収層の下側に設けられ、当該複数の孔の底を構成するための底部材とを備えた保持材であって、
前記衝撃吸収層の上部領域に歪エネルギー減少部材が設けられてなる
ことを特徴としている。
【０００８】
また、前記歪エネルギー減少部材が、前記衝撃吸収層の上部に複数設けられた略円錐状を呈した円錐部材であることが好ましい。
【０００９】
また、前記円錐部材は、単位長さ１０ｃｍあたり少なくとも４つ設けられていることが好ましい。
【００１０】
また、前記歪エネルギー減少部材を含む衝撃減少部材の硬さが４０〜８０Ｎ／ｃｍ2であることが好ましい。
【００１１】
また、前記歪エネルギー減少部材を含む衝撃吸収層に複数の孔が穿設され、当該複数の穿設された孔がマトリクス状に配置されていることが好ましい。
【００１２】
また、前記歪エネルギー減少部材を含む衝撃吸収層に複数の孔が穿設され、当該複数の穿設された孔が互い違いに配置されていることが好ましい。
【００１３】
また、前記歪エネルギー減少部材を含む衝撃吸収層に穿設された複数の孔が、円形、矩形、十字型または三角形の１種または２種以上であることが好ましい。
【００１４】
また、前記孔の中にリブが設けられてなることが好ましい。
【考案の効果】
【００１５】
本考案の保持材は、果物および／または野菜を収容するために複数の孔が設けられた衝撃吸収層と、該衝撃吸収層の下側に設けられ、当該複数の孔の底を構成するための底部材とを備えた保持材であって、
前記衝撃吸収層の上部領域に歪エネルギー減少部材が設けられているので、果物などを衝撃吸収層の収容孔に挿入したときに生じる歪エネルギーが大幅に減少し、果物を衝撃吸収層の収容孔に挿入したのち、別途、わら、紙、発泡スチロールのビーズなどの衝撃吸収材する必要がなく、そのうえ梱包用の箱に蓋がなくても果物の運搬中に果物が収容孔から脱落することのない保持材を提供することができる。
【考案を実施するための最良の形態】
【００１６】
添付図面を参照しながら本考案の保持材を以下に詳細に説明する。図１は本考案の保持材を梱包用の箱に入れた状態を示す部分断面説明図、図２は本考案の一実施の形態にかかわる保持材の孔に果物を挿入した状態を示す部分断面説明図、図３は本考案の保持材の衝撃吸収層に形成された円錐部材を示す部分断面説明図、図４は本考案の保持材の円錐部材の配置を示す部分平面説明図、図５は本考案の保持材に設けられた孔の配置例を示す部分平面説明図、図６は本考案の保持材に設けられた孔の他の配置例を示す部分平面説明図、図７は本考案の保持材に設けられた孔の配置例を示す部分平面説明図、図８は本考案の保持材に設けられた孔の他の配置例を示す部分平面説明図、図９は本考案の保持材に設けられた孔の配置例を示す部分平面説明図、図１０は本考案の保持材に設けられた孔の他の配置例を示す部分平面説明図、図１１は本考案の保持材に設けられた孔の配置例を示す部分平面説明図、図１２は本考案の保持材に設けられた孔の変形例を示す部分平面説明図である。
【００１７】
図１を参照すると、本実施の形態の保持材は、衝撃吸収層１と、衝撃吸収層１の下側に設けられた底部材２とを備えている。衝撃吸収層１には、りんご、柿など比較的硬い果物、桃やイチジクなど比較的柔らかい果物や、トマトなどの野菜を収容するために、複数の孔Ｒが設けられている。前記底部材２が、当該複数の孔Ｒの底を構成している。本実施の形態の場合、当該衝撃吸収層１は、４０〜８０Ｎ／ｃｍ2の硬さを有するポリウレタンフォームから製造されている。
【００１８】
素材である直方体状のポリウレタンフォームを機械加工して成形することにより、衝撃吸収層１の上部領域に、概略円錐状の形状を有する円錐部材Ｃが多数形成される。これら多数の円錐部材Ｃが歪エネルギー減少部材として機能する。本実施の形態では、コストの観点から、ポリウレタンフォームから衝撃吸収層１と円錐部材Ｃとが一体的に形成される
ことを特徴としている。衝撃吸収層１と円錐部材Ｃとは一体的に構成されているが、別体のものを接着剤により接合したものも本考案に含まれることはいうまでもない。
【００１９】
図２に示されるように、円錐部材Ｃは、単位長さＬ（Ｌ＝１０ｃｍ）あたり少なくとも４つ設けられていることが好ましい。図１４に示される従来の衝撃吸収層の上面から距離Ｈ１までの領域に円錐部材Ｃを形成したことが本考案の構成上の特徴である。このように、衝撃吸収層に多数の円錐部材Ｃを設けるようにすると、計算の単純化のために今仮に、孔Ｒを図７または８のような矩形断面と仮定し、円錐部材の根元部の直径を（Ｌ／４）と仮定すると、図２のようにりんごを孔Ｒに挿入する際に円錐部材Ｃ１つの根元部に生じる断面係数は（π（Ｌ／４）3）／３２すなわちπＬ3／１９４８である。これに対して図１３のような円錐部材が形成されていない衝撃吸収層の孔にＲにりんごを挿入した場合、計算の単純化のために、図１４における孔Ｒも矩形断面と仮定し、Ｈ１＋Ｈ２＝Ｌと仮定すると、断面係数は、Ｌ3／６となり、本考案の円錐部材Ｃの根元部に生じる断面係数の約３２４倍に達するのである。
【００２０】
また、本実施の形態の場合、前述のとおり、衝撃吸収層１は、４０〜８０Ｎ／ｃｍ2の硬さを有するポリウレタンフォームから製造されたものを使用しているが、コストを度外視すれば、４０〜８０Ｎ／ｃｍ2の硬さを有するものであれば、ポリウレタンフォーム以外のものも使用することができることはいうまでもない。
【００２１】
衝撃吸収層１に形成される複数の孔Ｃは、同一の行に配置される特定の円錐部材Ｃｉと、隣接する円錐部材Ｃｉ＋１の直下に、つぎの行の円錐部材Ｃｊと、隣接する円錐部材Ｃｊ＋１が配置されるマトリクス状の配置が可能である（図４（ａ）参照）。
【００２２】
また、衝撃吸収層１に形成される複数の孔Ｃは、同一の行に配置される特定の円錐部材Ｃｉと、隣接する円錐部材Ｃｉ＋１との間に、つぎの行の円錐部材Ｃｊが配置される互い違いの配置も可能である（図４（ｂ）参照）。
【００２３】
つぎに、衝撃吸収層１に穿設される孔Ｒの形状および配置について説明する。孔Ｒの形状としては、従来の衝撃吸収層に穿設される孔の形状が、そのまま本考案の衝撃吸収層１の孔の形状としても適用しうる。すなわち、図５および６に示されるような円形、図７および８に示されるような矩形、図９および１０に示されるような十字型、三角形（図示されていない）、星型（図示されていない）またはこれらの２種以上を組み合わせた形状であってもよい。
【００２４】
複数の円形の孔Ｒの配置としては、図５に示すように、同一の行に配置される孔Ｒｉと、隣接する孔Ｒｉ＋１の直下に、つぎの行の孔Ｒｊと、隣接する孔Ｒｊ＋１が配置されるマトリクス状の配置が可能である。また、同一の行に配置される孔Ｒｉと、隣接する孔Ｒｉ＋１との間、および孔Ｒｉ＋１と隣接する孔Ｒｉ＋２との間に、それぞれ、つぎの行の孔Ｒｊ、Ｒｉ＋１が配置される互い違いの配置も可能である（図６参照）。複数の矩形の孔Ｒの配置としては、図７に示すように、同一の行に配置される孔Ｒｉと、隣接する孔Ｒｉ＋１の直下に、つぎの行の孔Ｒｊと、隣接する孔Ｒｊ＋１が配置されるマトリクス状の配置が可能である。また、同一の行に配置される孔Ｒｉと、隣接する孔Ｒｉ＋１との間、および孔Ｒｉ＋１と隣接する孔Ｒｉ＋２との間に、それぞれ、つぎの行の孔Ｒｊ、Ｒｉ＋１が配置される互い違いの配置も可能である（図８参照）。複数の十字型の孔Ｒの配置としては、図９に示すように、同一の行に配置される孔Ｒｉと、隣接する孔Ｒｉ＋１の直下に、つぎの行の孔Ｒｊと、隣接する孔Ｒｊ＋１が配置されるマトリクス状の配置が可能である。また、同一の行に配置される孔Ｒｉと、隣接する孔Ｒｉ＋１との間、および孔Ｒｉ＋１と隣接する孔Ｒｉ＋２との間に、それぞれ、つぎの行の孔Ｒｊ、Ｒｉ＋１が配置される互い違いの配置も可能である（図１０参照）。さらに、図１１に示すように、同一の行に配置される十字型の孔Ｒｉと、隣接する孔Ｒｉ＋１との間に、つぎの行の孔として円形のＲｊが配置される互い違いの配置ももちろん可能である。図６〜１１においては円錐部材Ｃが省略して描かれているが、実際には円錐部材が設けられている。
【００２５】
また、図１２（ａ）に示すように、円形の孔Ｒの中にリブ１ａを設けることもできる。図１２（ａ）に示された例では、４つのリブ１ａが等間隔に設けられているが、リブ１ａの数は４つに限られることはなく、１つだけ設けたもの、２つ設けたもの、３つ設けたものであってもよく、リブ同士の間隔についても等間隔でなくてもよい。さらに、図１２（ｂ）に示すように、矩形の孔Ｒの中にリブ１ａを設けることもできる。図１２（ｂ）に示された例では、４つのリブ１ａが等間隔に設けられているが、リブ１ａの数は４つに限られることはなく、１つだけ設けたもの、２つ設けたもの、３つ設けたものであってもよく、リブ同士の間隔についても等間隔でなくてもよい。図１２においては円錐部材Ｃが省略して描かれているが、実際には円錐部材が設けられている。
【００２６】
如上のように構成される本考案の保持材は、図１および３に示されるように、衝撃吸収層１の上部領域に多数の円錐部材Ｃからなる歪エネルギー減少部材が設けられている。このため、孔Ｒの寸法より大きい果物が挿入されても、少なくとも衝撃吸収層１の上部については、孔Ｒに挿入される果物により個々に円錐部材Ｃが変形するだけであり、図１４に示される従来の衝撃吸収層のように、変形が衝撃吸収層全体におよぶことはない。また、前述のとおり、個々の円錐部材Ｃの断面係数は、円錐部材がないものと比較すると１／３２４にすぎないのである。したがって、従来の衝撃吸収層１１と比べて果物に対して上方に作用する力Ｆ１はきわめて小さく、果物に対して水平方向に作用する力Ｆ２とＦ１とが合成されて生じる力Ｆ３（図１４参照）も小さく、そのうえ、衝撃吸収層１の上部全体にわたって形成された円錐部材Ｃが、さらなる衝撃吸収材として作用するため果物を回転させようする力が作用しても、円錐部材Ｃによって吸収されるのである。このため、本考案の保持材の孔に果物を収容したあと、梱包用箱３に収納して車両などで運ぶ際、この箱３に蓋がなくても果物が脱落しないので、産地において、果物を車両に積載するまでの作業工程が低減するという付随的な効果がある。
【図面の簡単な説明】
【００２７】
【図１】本考案の保持材を梱包用の箱に入れた状態を説明する部分断面説明図である。
【図２】本考案の一実施の形態にかかわる保持材の孔に果物を挿入した状態を示す部分断面説明図である。
【図３】本考案の保持材の衝撃吸収層に形成された円錐部材を示す部分断面説明図である。
【図４】本考案の保持材の円錐部材の配置を示す部分平面説明図である。
【図５】本考案の保持材に設けられた孔の配置例を示す部分平面説明図である。
【図６】本考案の保持材に設けられた孔の他の配置例を示す部分平面説明図である。
【図７】本考案の保持材に設けられた孔の配置例を示す部分平面説明図である。
【図８】本考案の保持材に設けられた孔の他の配置例を示す部分平面説明図である。
【図９】本考案の保持材に設けられた孔の配置例を示す部分平面説明図である。
【図１０】本考案の保持材に設けられた孔の他の配置例を示す部分平面説明図である。
【図１１】本考案の保持材に設けられた孔の配置例を示す部分平面説明図である。
【図１２】本考案の保持材に設けられた孔の変形例を示す部分平面説明図である。
【図１３】従来の保持材の構造を示す部分断面説明図である。
【図１４】図１３の保持材の孔に果物を挿入した状態を示す部分断面説明図である。
【符号の説明】
【００２８】
１  衝撃吸収層
２  底部材
３  梱包用箱
Ｃ  円錐部材
Ｒ  孔
【図１】
0003102229.tif 000003
【図２】
0003102229.tif 000004
【図３】
0003102229.tif 000005
【図４】
0003102229.tif 000006
【図５】
0003102229.tif 000007
【図６】
0003102229.tif 000008
【図７】
0003102229.tif 000009
【図８】
0003102229.tif 000010
【図９】
0003102229.tif 000011
【図１０】
0003102229.tif 000012
【図１１】
0003102229.tif 000013
【図１２】
0003102229.tif 000014
【図１３】
0003102229.tif 000015
【図１４】
0003102229.tif 000016